(57)【要約】【課題】上面開口を利用して電気機器の箱本体内部への搬入が可能で、使い勝手が良い上、補強面での不安もない電気機器収納用箱体を提供する。【解決手段】固定具１６に切り欠き１７とネジ孔１８、１８とを設ける一方、天板支持部材１５に補強部材１９とネジ孔２１、２１・・とを設けている。そして、天板支持部材１５を、補強部材１９の前後両端部が固定具１６の切り欠き１７内に夫々位置し、且つ、固定具１６上にある天板支持部材１５のネジ孔２１、２１と固定具１６のネジ孔１８、１８とが上下で一致するようにして、固定具１６、１６間に架設した上で、箱本体の上面開口２を覆うように天板１０を載置して、両ネジ孔１８、２１でネジ９、９・・を締結することにより、天板１０、天板支持部材１５、及び固定具１６が一体化され、天板１０が取り付けられるようにした。【選択図】図３
2020089106.tif 000002
【特許請求の範囲】
【請求項１】
前面、左右両側面、及び背面を有し、少なくとも上面に開口する箱本体と、前記箱本体の上面開口を閉塞する天板とを備えているとともに、
前記箱本体の上端に、前辺部材、後辺部材、及び左右両側辺部材を矩形枠状に組み付けてなる上枠が固着され、前記前辺部材及び前記後辺部材に夫々固定具が取り付けられており、両前記固定具間に亘って前後方向へ長い帯状の天板支持部材が架設された電気機器収納用箱体であって、
前記固定具における前記上枠の内側へ突出した箇所に、左右方向へ所定の幅を有する切り欠きが設けられているとともに、前記切り欠きの左右両側にネジ孔が穿設されている一方、
前記天板支持部材の下面に、Ｌ字状に折り曲げられた金属板同士を背中合わせに固着してなる補強部材が前後方向に配設されているとともに、前記天板支持部材の前後両端における前記補強部材の左右両側にネジ孔が穿設されており、
前記固定具の前記切り欠き内に前記補強部材を位置させ、前記天板支持部材の前記ネジ孔と前記固定具の前記ネジ孔とを上下で一致させた上で、前記上面開口を閉塞するように前記天板を前記箱本体上に載置し、両前記ネジ孔でネジを締結することにより前記天板、前記天板支持部材、及び前記固定具が一体化されることを特徴とする電気機器収納用箱体。
【発明の詳細な説明】
【技術分野】
【０００１】
本発明は、たとえば電気機器を収納するためのキャビネット等といった電気機器収納用箱体に関するものである。
【背景技術】
【０００２】
従来、配電盤等に使用される比較的大型の電気機器収納用箱体としては、たとえば特許文献１に記載されているようなものがある。そのような電気機器収納用箱体では、箱本体の上枠に天板を溶接することによって、箱本体の上面開口を閉塞している。また、補強面での必要性から、たとえば上枠の左右方向での略中央部に、柱状の天板支持部材を前後に亘って架設し、当該天板支持部材と天板とについても溶接していた。
【先行技術文献】
【特許文献】
【０００３】
【特許文献１】特開２０１１−０３０３６４号公報
【発明の概要】
【発明が解決しようとする課題】
【０００４】
上述したように従来の電気機器収納用箱体は天板を溶接しているが故、設置現場での組み立ては困難である。したがって、製造工場等で予め組み立ててから設置現場へ運搬していた。しかしながら、一旦組み立ててしまうと、箱本体の上面開口を利用して電気機器を搬入することができないため、使い勝手の点で問題を抱えていた。
【０００５】
そこで、本発明は、上記問題に鑑みなされたものであって、上面開口を利用して電気機器の箱本体内部への搬入が可能で、使い勝手が良い上、補強面での不安もない電気機器収納用箱体を提供しようとするものである。
【課題を解決するための手段】
【０００６】
上記目的を達成するために、本発明は、前面、左右両側面、及び背面を有し、少なくとも上面に開口する箱本体と、前記箱本体の上面開口を閉塞する天板とを備えているとともに、前記箱本体の上端に、前辺部材、後辺部材、及び左右両側辺部材を矩形枠状に組み付けてなる上枠が固着され、前記前辺部材及び前記後辺部材に夫々固定具が取り付けられており、両前記固定具間に亘って前後方向へ長い帯状の天板支持部材が架設された電気機器収納用箱体であって、前記固定具における前記上枠の内側へ突出した箇所に、左右方向へ所定の幅を有する切り欠きが設けられているとともに、前記切り欠きの左右両側にネジ孔が穿設されている一方、前記天板支持部材の下面に、Ｌ字状に折り曲げられた金属板同士を背中合わせに固着してなる補強部材が前後方向に配設されているとともに、前記天板支持部材の前後両端における前記補強部材の左右両側にネジ孔が穿設されており、前記固定具の前記切り欠き内に前記補強部材を位置させ、前記天板支持部材の前記ネジ孔と前記固定具の前記ネジ孔とを上下で一致させた上で、前記上面開口を閉塞するように前記天板を前記箱本体上に載置し、両前記ネジ孔でネジを締結することにより前記天板、前記天板支持部材、及び前記固定具が一体化されることを特徴とする。
【発明の効果】
【０００７】
本発明によれば、固定具に切り欠きやネジ孔を、天板支持部材に補強部材やネジ孔を夫々設けており、固定具の切り欠き内に補強部材を位置させ、天板支持部材のネジ孔と固定具のネジ孔とを上下で一致させた上で、上面開口を閉塞するように天板を箱本体上に載置し、両前記ネジ孔でネジを締結することにより天板、天板支持部材、及び固定具を一体化可能とした。すなわち、ネジを緩めるだけで、天板支持部材を箱本体から取り外すことができる。したがって、たとえば設置現場において箱本体の上面開口から電気機器を搬入したいのであれば、天板支持部材及び天板を取り外せばよく、使い勝手が良い。また、天板支持部材を設けないわけではないため、強度も十分に保つことができる。
【図面の簡単な説明】
【０００８】
【図１】電気機器収納用箱体を前側から示した説明図である。
【図２】電気機器収納用箱体を右側から示した説明図である。
【図３】上枠を下側から示した説明図である。
【図４】天板支持部材の一端を拡大して示した説明図であり、（ａ）は下側から、（ｂ）は前側から、（ｃ）は左側から夫々示している。
【図５】固定具を示した説明図であり、（ａ）は下側から、（ｂ）は前側から、（ｃ）は左側から夫々示している。
【図６】固定具と天板支持部材とを一体化した状態を下側から示した説明図である。
【図７】固定具と天板支持部材とを一体化した状態を前側から示した説明図である。
【発明を実施するための形態】
【０００９】
以下、本発明の一実施形態となる電気機器収納用箱体（以下、単に箱体と称す）について、図面にもとづき詳細に説明する。
図１は、箱体１を前側から示した説明図である。図２は、箱体１を右側から示した説明図である。図３は、上枠１１を下側から示した説明図である。図４は、天板支持部材１５の一端を拡大して示した説明図であり、（ａ）は下側から、（ｂ）は前側から、（ｃ）は左側から夫々示している。図５は、固定具１６を示した説明図であり、（ａ）は下側から、（ｂ）は前側から、（ｃ）は左側から夫々示している。図６は、固定具１６と天板支持部材１５とを一体化した状態を下側から示した説明図である。図７は、固定具１６と天板支持部材１５とを一体化した状態を前側から示した説明図である。
【００１０】
箱体１は、左右一対の側面３、３、前面４、及び背面５を有して上面及び下面に開口する箱本体と、箱本体の上面開口２を閉塞する天板１０とを備えてなり、箱本体の内部には、トランスや遮断器等の各種電気機器が収納可能となっている。該箱本体の前面４は、左右に夫々片開きして前面開口を開閉する一対の前扉で構成されている。また、各側面３にも、側面開口を開閉する側扉６が設けられている。そして、箱本体は、チャンネルベース７を介してコンクリート基礎（図示せず）上に設置されるようになっている。なお、８は、前面４及び背面５に開設された換気口（図示せず）を覆うように取り付けられたフードである。
【００１１】
ここで、発明の要部となる箱本体への天板１０の取付構造について説明する。
箱本体の上端には、左右一対の側辺部材１２、１２、側辺部材１２の前端同士を連結する前辺部材１３、及び側辺部材１２の後端同士を連結する後辺部材１４を有する上枠１１が溶接されている。側辺部材１２の長さは側面３の前後長さと、前辺部材１３は前面４の左右長さと、後辺部材１４は背面５の左右長さと略同じとなっている。また、前辺部材１３及び後辺部材１４の左右方向での略中央となる位置には、後述する天板支持部材１５を固定するための固定具１６が夫々溶接されている。
【００１２】
固定具１６は、左右方向へ長い金属板の左右両端を下方へ折り曲げてなるもので、何れか一方の長辺部（前辺部若しくは後辺部）には切り欠き１７が設けられている。また、切り欠き１７の左右両側には、固定具１６と天板支持部材１５及び天板１０とを一体化するためのネジ孔１８、１８が穿設されている。そして、当該固定具１６は、切り欠き１７部分が上枠１１から内側へ突出するような姿勢で、前辺部材１３及び後辺部材１４に夫々溶接されている。
【００１３】
一方、天板支持部材１５は、前後方向での長さが前辺部材１３と後辺部材１４との前後距離と略同じで、且つ、左右幅が固定具１６の左右長さと略同じとされた帯状の金属板である。該天板支持部材１５の下面で、左右方向で略中央となる位置には、前後方向へ延びる補強部材１９が固着されている。この補強部材１９は、Ｌ字状に折り曲げられた２つの金属部材を背中合わせに溶接してなるもので、左右幅は切り欠き１７の左右幅と略同じとなっている。また、補強部材１９の前後方向での長さは、天板支持部材１５の前後方向での長さよりも短くなっており、補強部材１９の前後両端部と天板支持部材１５の前後両端部との間が、固定具１６への固定に際しての固定代２０となる。加えて、天板支持部材１５の前後方向両端際で、補強部材１９の左右両側となる位置には、天板支持部材１５と固定具１６及び天板１０とを一体化するためのネジ孔２１、２１が夫々穿設されている。
【００１４】
そして、天板１０を取り付けるに際しては、まず上記天板支持部材１５を、補強部材１９の前後両端部が固定具１６の切り欠き１７内に夫々位置し、且つ、固定具１６上にある天板支持部材１５のネジ孔２１、２１と固定具１６のネジ孔１８、１８とが上下で一致するように、固定具１６、１６間に架設する。それから、箱本体の上面開口２を覆うように天板１０を載置して、両ネジ孔１８、２１でネジ９、９・・を締結すれば、天板１０、天板支持部材１５、及び固定具１６が一体化され、天板１０の取り付けは完了となる。また、このようにして組み立てた状態で箱体１を設置現場へ運搬し、チャンネルベース７上に固定した後で、箱体１内へ電気機器を搬入するにあたっては、ネジ９、９・・を緩めて天板１０及び天板支持部材１５を箱本体から取り外せば良い。すると、天板支持部材１５により仕切られることなく、箱本体の上面が広く開放されるため、その上面開口２を介して電気機器を搬入すればよい。
【００１５】
以上のような構成を有する箱体１によれば、固定具１６に切り欠き１７とネジ孔１８、１８とを設ける一方、天板支持部材１５に補強部材１９とネジ孔２１、２１・・とを設けている。そして、天板支持部材１５を、補強部材１９の前後両端部が固定具１６の切り欠き１７内に夫々位置し、且つ、固定具１６上にある天板支持部材１５のネジ孔２１、２１と固定具１６のネジ孔１８、１８とが上下で一致するようにして、固定具１６、１６間に架設した上で、箱本体の上面開口２を覆うように天板１０を載置して、両ネジ孔１８、２１でネジ９、９・・を締結することにより、天板１０、天板支持部材１５、及び固定具１６が一体化され、天板１０が取り付けられるようにした。すなわち、ネジ９、９・・を緩めることで、天板１０のみならず、天板支持部材１５についても固定具１６、１６から取り外されるようにした。したがって、天板１０及び天板支持部材１５を箱本体から取り外すことで、箱本体の上面に、天板支持部材１５により仕切られることのない広い開口２を確保することができるため、その上面開口２を介して電気機器を搬入することができ、使い勝手が良い。
【００１６】
また、広い上面開口２を確保可能とする代わりに天板支持部材１５を設けないわけではなく、天板１０の取り付け時には、補強部材１９を有する天板支持部材１５が固定されるようになっているため、箱体１の強度も十分に保つことができる。
【００１７】
なお、本発明に係る電気機器収納用箱体は、上記実施形態の態様に何ら限定されるものではなく、箱体の全体的な構成は勿論、固定具や天板支持部材の構成についても、本発明の趣旨を逸脱しない範囲で、必要に応じて適宜変更することができる。
【００１８】
たとえば、上記実施形態では、上枠に１つの天板支持部材を着脱自在に設けるとしているが、箱本体の大きさによっては複数の天板支持部材を着脱自在に設けても何ら問題はない。
また、天板支持部材の前後両端のみならず、他の箇所（たとえば天板支持部材の前後方向での中央部分等）においても、天板と天板支持部材とをネジ止めするように構成してもよい。
【符号の説明】
【００１９】
１・・電気機器収納用箱体、２・・上面開口、３・・側面、４・・前面、５・・背面、９・・ネジ、１０・・天板、１１・・上枠、１２・・側辺部材、１３・・前辺部材、１４・・後辺部材、１５・・天板支持部材、１６・・固定具、１７・・切り欠き、１８、２１・・ネジ孔。
【図１】
2020089106.tif 000003
【図２】
2020089106.tif 000004
【図３】
2020089106.tif 000005
【図４】
2020089106.tif 000006
【図５】
2020089106.tif 000007
【図６】
2020089106.tif 000008
【図７】
2020089106.tif 000009